(57)【要約】      （修正有）【課題】ガードレール等の支柱の地際部の錆を有効に防止できる地際埋設物防錆保護工法の提供。【解決手段】この発明の地際埋設物防錆保護工法は、ガードレール等の支柱１をアスファルト又はモルタル又はコンクリート２中に埋設し、支持する工法であって、前記支柱１の地際部３に熱収縮チューブ４を施したのち、該熱収縮チューブ４を加熱収縮させ、上端部ａを、前記アスファルト又はモルタル又はコンクリート２の面よりも高く露出させている。【選択図】 図１
2007321381.tif 000002
【特許請求の範囲】
【請求項１】
ガードレール等の支柱（１）をアスファルト又はモルタル又はコンクリート（２）中に埋設し、支持する工法であって、前記支柱（１）の地際部（３）に熱収縮チューブ（４）を施したのち、該熱収縮チューブ（４）を加熱収縮させ、上端部（ａ）を、前記アスファルト又はモルタル又はコンクリート（２）の面よりも高く露出させることを特長とする地際埋設物防錆保護工法
【請求項２】
ガードレール等の既設支柱（１’）をアスファルト又はモルタル又はコンクリート（２）中に埋設し、支持する工法であって、前記既設支柱（１’）の地際部（３）に熱収縮シート（７、１０）をチューブ状に成形して施したのち、該熱収縮シート（７，１０）を加熱収縮させ、上端部（ａ）を、前記アスファルト又はモルタル又はコンクリート（２）の面よりも高く露出させることを特長とする地際埋設物防錆保護工法
【発明の詳細な説明】
【技術分野】
【０００１】
本発明は、地際埋設物防錆保護工法に関するものである。
【背景技術】
【０００２】
ガードレール等の支柱をアスファルト又はモルタル又はコンクリート中に埋設し、支持する従来の工法は、ガードレール等の支柱を、直にアスファルト又はモルタル又はコンクリート中に埋設したままであったので、支柱とアスファルト又はモルタル又はコンクリートの界面に雨水等が侵入し、支柱の地際部が腐食するという問題点があった。
【０００３】
また、支柱の下端部に未硬化状態の接着性合成樹脂材からなる土台部を設ける等の工法も知られているが、処理が面倒で高価になるという問題点があった。
【特許文献１】特開２００１−０７３３２６号公報
【発明の開示】
【発明が解決しようとする課題】
【０００４】
この発明は、背景技術で記述した問題点を解消するためになされたもので、ガードレール等の支柱の地際部の錆を有効に防止できる地際埋設物防錆保護工法の提供を目的とするものである。
【課題を解決するための手段】
【０００５】
この発明の地際埋設物防錆保護工法は、ガードレール等の支柱をアスファルト又はモルタル又はコンクリート中に埋設し、支持する工法であって、前記支柱の地際部に熱収縮チューブを施したのち、該熱収縮チューブを加熱収縮させ、上端部を、前記アスファルト又はモルタル又はコンクリートの面よりも高く露出させることを特長とするものである。
【０００６】
この発明の地際埋設物防錆保護工法は、ガードレール等の既設支柱をアスファルト又はモルタル又はコンクリート中に埋設し、支持する工法であって、前記既設支柱の地際部に熱収縮シートをチューブ状に成形して施したのち、該熱収縮シートを加熱収縮させ、上端部を、前記アスファルト又はモルタル又はコンクリートの面よりも高く露出させることを特長とするものである。
【発明の効果】
【０００７】
この発明は上述のように構成されているので、次のような効果を奏する。
（１）支柱の地際部において、支柱の表面とアスファルト又はモルタル又はコンクリート面が直接接触しないので、アスファルト又はモルタル又はコンクリートが支柱の地際部を腐食させることがない。
（２）支柱の地際部は熱収縮チューブ又はシートで覆われているので、雨水等が支柱の地際部に全く接触しないので、支柱の地際部を腐食させることがない。
（３）支柱の地際部に熱収縮チューブ又はシートを施すだけでよいので、取付けが簡単である。
（４）既設支柱の場合には、対向辺に、雄、雌のファスナー又はジッパーを取付けた熱収縮シートを、既設支柱の地際部にあてがい、雄、雌のファスナー又はジッパーを係止して、チューブ状となすことにより適用することができる。
（５）既設支柱の場合には、対向辺に、突起・該突起嵌合孔を取付けた熱収縮シートを既設支柱の地際部にあてがい、突起を突起嵌合孔に係止して、チューブ状となすことにより適用することができる。
【発明を実施するための最良の形態】
【０００８】
ガードレール等の支柱の地際部の錆を有効に防止できる地際埋設物防錆保護工法の提供という目的を、支柱の地際部に熱収縮チューブ又はシートを施すことにより実現できた。
【実施例】
【０００９】
本発明の実施の一例を図面を参照しながら説明する。ガードレール等の支柱１をアスファルト又はモルタル又はコンクリート２中に埋設し、支持する工法であって、図１に示すように、前記支柱１の地際部３に熱収縮チューブ４を施したのち、該熱収縮チューブ４を加熱収縮させ、上端部ａを、前記アスファルト又はモルタル又はコンクリート２の面よりも高く露出させている。なお、ｂは内面接着材であり、省略してもよい。
【００１０】
内面接着材ｂとしては、たとえば、ＮＢＲ系又はアクリル系のものなどが適用でき、このＮＢＲ系又はアクリル系の内面接着材ｂを、メモリー性を有するポリエチレン等からなる外層ｃに粘着した状態で熱収縮チューブ４を構成している。
【００１１】
したがって、熱収縮チューブ４を加熱収縮させることにより、内面接着材ｂを溶融させ、内面接着材ｂを支柱１の地際部３に粘着させることができ、雨水等の侵入を防止することができる。
【００１２】
なお、既設支柱１’の場合には、図２に示すように、対向辺５，５に、雄、雌のファスナー又はジッパー６，６を取付けた熱収縮シート７を、図１に示すように、既設支柱１’の地際部３にあてがい、雄、雌のファスナー又はジッパー６，６を係止して、チューブ状に成形したのち、チューブ状の熱収縮シート７を加熱収縮させ、上端部ａを、前記アスファルト又はモルタル又はコンクリート２の面よりも高く露出させている。
【００１３】
また、既設支柱１’の場合には、図３示すように、対向辺部８，８に、突起・該突起嵌合孔９，９’を取付けた熱収縮シート１０を、図１示すように、既設支柱１’の地際部３にあてがい、突起・該突起嵌合孔９，９’を係止して、チューブ状に成形したのち、チューブ状の熱収縮シート１０を加熱収縮させ、上端部ａを、前記アスファルト又はモルタル又はコンクリート２の面よりも高く露出させている。
【００１４】
なお、図１において、１１はアスファルト又はモルタル又はコンクリート２を補強するために、鉄筋などを埋設した補強筋部である。適宜に省略することができる。
【産業上の利用可能性】
【００１５】
ガードレール等の支柱の地際部の腐食を防止できる工法として利用できる。
【図面の簡単な説明】
【００１６】
【図１】本発明の実施の一例を示す一部切り欠き断面図
【図２】チューブ状に成形する熱収縮シートの概略斜視図
【図３】チューブ状に成形する熱収縮シートの概略斜視図
【符号の説明】
【００１７】
１  支柱
１’既設支柱
２  アスファルト又はモルタル又はコンクリート
３  支柱の地際部
４  熱収縮チューブ
５  対向辺
６  ファスナー又はジッパー
７  熱収縮シート
８  対向辺部
９  突起
９’  突起嵌合孔
１０  熱収縮シート
１１  補強筋部
ａ  上端部
ｂ  内面接着材
ｃ  外層
【図１】
2007321381.tif 000003
【図２】
2007321381.tif 000004
【図３】
2007321381.tif 000005